(57)【特許請求の範囲】
【請求項１】
入力されたデジタル楽音信号を遅延長だけ遅延して出力する遅延手段と、
前記遅延手段の出力信号データを入力し、カットオフ周波数が可変のローパスフィルタとを備え、
前記ローパスフィルタよりデジタル楽音出力信号を出力する遅延装置において、
遅延長を変更するときに、変更前の遅延信号に対して前記ローパスフィルタのカットオフ周波数を予定の時間で徐々に低い周波数に移行し、
前記予定の時間の経過に合わせて前記遅延手段の遅延長の変更を行い、
予定の時間経過後に、前記ローパスフィルタのカットオフ周波数を徐々に元の周波数に移行する
ことを特徴とする遅延装置。
【請求項２】
請求項１において、
遅延長データの変化を検出する第１遅延長検出手段と、
前記遅延長データを第２遅延装置に入力し、前記第２遅延装置の出力データの変化を検出する第２遅延長検出手段と、
前記第１遅延長検出手段の指示により前記カットオフ周波数を徐々に低い周波数に移行させ、前記第２遅延長検出手段の指示により前記カットオフ周波数を徐々に元の周波数に移行させるカットオフ周波数指示手段
とを更に備える遅延装置。
【請求項３】
請求項２において、
前記カットオフ周波数が十分に低い周波数に移行する時間と同等の遅延時間で前記遅延長データを読み出して遅延長を前記遅延手段に指示する遅延長指示手段
を更に備える遅延装置。
【請求項４】
入力音声を示す入力音声信号が遅延長だけ遅延した遅延音声信号を出力する遅延手段と、
前記遅延音声信号のうちのカットオフ周波数より高い周波数の音声を減衰させるローパスフィルタとを具備し、
前記遅延長が更新されて前記遅延音声信号が変更前遅延音声信号から変更後遅延音声信号に切り換わる切換期間でのカットオフ周波数は、前記遅延音声が切り換わらない無切換期間でのカットオフ周波数より低い
遅延装置。
【請求項５】
請求項４において、
前記カットオフ周波数は、前記切換期間に単純に減少し、前記遅延音声信号が前記変更後遅延音声信号に切り換わった後に、単純に上昇することにより前記無切換期間でのカットオフ周波数に移行する
遅延装置。
【請求項６】
請求項４または請求項５のいずれかにおいて、
前記入力音声のうちの高域の音声を強調して前記入力音声信号を生成するプリエンファシスフィルタ
を更に具備する遅延装置。
【請求項７】
請求項４〜請求項６のいずれかに記載される遅延装置と、
入力装置の操作に対応する前記入力音声を生成する電子楽器本体
とを具備する電子楽器。
【請求項８】
請求項４〜請求項６のいずれかに記載される遅延装置と、
前記入力音声を前記入力音声信号に変換するマイク本体
とを具備するエコー付きマイク。
【発明の詳細な説明】
【技術分野】
【０００１】
本発明は、遅延する音声を用いた効果を付与する遅延装置に関し、特に、その音声を遅延するときの遅延長が可変である遅延装置に関する。
【背景技術】
【０００２】
遅延する音声を用いた効果を付与する遅延装置が知られている。このような効果としては、エコー、リバーブが例示される。その遅延装置は、その音声を遅延するときの遅延長が可変である。このような遅延装置は、その遅延長を変更すると、遅延長の変更の前後で、出力される音声信号の波形が不連続になり、クリックノイズが発生してしまう不具合がある。このようなクリックノイズが低減されることが望まれている。
【０００３】
特許２５６０４２８号公報には、切り替わり部分で発生するクリックノイズを除去することができるようにした効果装置が開示されている。その効果装置は、入力した楽音信号を遅延出力し、この遅延長を切り替えることができる可変遅延手段を具え、この遅延に基づく効果を該楽音信号に対して付与する効果装置において、この可変遅延手段の遅延長を変更すべきことが指示されたとき、変更前の遅延長に対応する前記可変遅延手段の出力信号に対して減衰エンベロープを付与することを指示する第１の指示手段と、前記第１の指示手段による指示の後、或る時間が経過したとき前記可変遅延手段の遅延長を変更することを指示すると共に、変更後の遅延長に対応する前記可変遅延手段の出力信号に対して立上りエンベロープを付与することを指示する第２の指示手段と、前記第１の指示手段による指示に応答して前記変更前の遅延長に対応する前記可変遅延手段の出力信号に対して減衰エンベロープを付与し、また、前記第２の指示手段による指示に応答して前記変更後の遅延長に対応する前記可変遅延手段の出力信号に対して立上りエンベロープを付与するエンベロープ付与手段とを具え、遅延長を変更するときに生じるクリックノイズを除去したことを特徴としている。
【０００４】
特許３１８０３７１号公報には、簡略な構成で遅延時間変更時や信号切換時のノイズを防止できる信号遅延装置が開示されている。その信号遅延装置は、閉ループ状に接続された複数の遅延手段を有し、該閉ループ上に設けられた入力部に信号を入力し、該閉ループ上に設けられた出力部から信号を取り出す信号遅延装置であって、信号の発生が指示された時に、各遅延手段の出力を各遅延手段の遅延時間に対応する時間だけマスクする手段を備えている。
【０００５】
【特許文献１】特許２５６０４２８号公報
【特許文献２】特許３１８０３７１号公報
【発明の開示】
【発明が解決しようとする課題】
【０００６】
本発明の課題は、遅延長が切り換わるときのノイズを低減する遅延装置を提供することにある。
又、その従来例に見られる遅延出力信号の切り換えを振幅制御により除去する方式においては、出力信号の振幅制御を急速に行うとそれ自身がノイズの発生原因となる場合がある。たとえば、回転操作子により遅延長を変更するときに、頻繁に遅延長が更新されるが、その更新の間隔より速く出力信号のレベル制御を行わなくてはならないために、出力信号は、高速の振幅変調を掛けたような大変耳障りな音を示す。逆に、出力信号のレベル制御を比較的遅く設定すると遅延長変更のタイミングを長くとるように制御しなければならなく、出力信号は、回転操作子の動きに追従しないような違和感がある。
本発明の他の課題は、遅延長を高速で切り換えることができ、かつ、遅延長が切り換わるときのノイズを低減する遅延装置を提供することにある。
【課題を解決するための手段】
【０００７】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００８】
本発明による遅延装置（１）は、入力されたデジタル楽音信号を遅延長だけ遅延して出力する遅延手段（２３）と、遅延手段（２３）の出力信号データを入力し、カットオフ周波数が可変のローパスフィルタ（２４）とを備え、ローパスフィルタ（２４）よりデジタル楽音出力信号を出力する遅延装置（１）において、遅延長を変更するときに、変更前の遅延信号に対してローパスフィルタ（２４）のカットオフ周波数を予定の時間で徐々に低い周波数に移行し、その予定の時間の経過に合わせて遅延手段（２３）の遅延長の変更を行い、その予定の時間経過後に、ローパスフィルタ（２４）のカットオフ周波数を徐々に元の周波数に移行することを特徴としている。このような遅延装置（１）は、遅延長変更時のクリックノイズを低減させることができる。
【０００９】
本発明による遅延装置（１）は、遅延長データの変化を検出する第１遅延長検出手段（８）と、その遅延長データを第２遅延装置（６）に入力し、第２遅延装置（６）の出力データの変化を検出する第２遅延長検出手段（１１）と、第１遅延長検出手段（８）の指示によりそのカットオフ周波数を徐々に低い周波数に移行させ、第２遅延長検出手段（１１）の指示によりそのカットオフ周波数を徐々に元の周波数に移行させるカットオフ周波数指示手段（１３）とをさらに備えている。
【００１０】
このとき、本発明による遅延装置（１）は、遅延長の変更があったときに、第１遅延長検出手段（８）とカットオフ周波数指示手段（１２）とによりローパスフィルタ（２４）のカットオフ周波数が低い周波数に移行する。遅延長データは、第２遅延装置（６）に入力され、カットオフ周波数が低い周波数に移行する時間と同等の遅延時間で読み出されてそのデータにより遅延長が変更される。そして、さらに、時間経過後に読み出された遅延長データの変化を検出する第２遅延長検出手段（１１）とカットオフ周波数指示手段（１２）によりカットオフ周波数は元の周波数に戻る。カットオフ周波数が低い周波数に移行するに連れて遅延手段（２３）の出力波形の変動は、だんだん鈍くなり、したがって、波形が切り換わる際の急激な変化が抑制され滑らかな変化となりクリックノイズが低減される。
【００１１】
本発明による遅延装置（１）は、カットオフ周波数が十分に低い周波数に移行する時間と同等の遅延時間でその遅延長データを読み出して遅延長を遅延手段（２３）に指示する遅延長指示手段（７）を備えている。
【００１２】
本発明による遅延装置（１）は、入力音声信号を遅延長だけ遅延した遅延音声信号を出力する遅延手段（２３）と、遅延音声信号のカットオフ周波数より高い周波数帯域を減衰させるローパスフィルタ（２４）とを備えている。遅延長が更新されて遅延音声信号が変更前遅延音声信号から変更後遅延音声信号に切り換わる切換期間でのカットオフ周波数を遅延音声信号が切り換わらない無切換期間でのカットオフ周波数より低くすることにより、遅延装置（１）は、遅延長が切り換わるときのノイズを低減することができる。
【００１３】
カットオフ周波数は、無切換期間から切換期間に移行する期間で単純に減少し、切換期間から無切換期間に移行する期間で単純に上昇することが好ましい。
【００１４】
本発明による遅延装置（１）は、入力音声のうちの高域の音声を強調して入力音声信号を生成するプリエンファシスフィルタ（２２）をさらに備えていることが好ましい。遅延装置（１）は、遅延手段（２３）の１ワード当たりのビット数を入力信号のビット数より小さくすることができる。このとき、遅延手段（２３）は、その分だけ、メモリを有効に活用することができ、遅延長を長く取ることができる。通常、入力データのビット数が小さいビット幅の遅延手段を適用すると、フィードバックループによるノイズが発生する。遅延装置（１）は、さらに、このようなノイズを抑制することができる。
【００１５】
本発明による電子楽器は、本発明による遅延装置（１）と、入力装置の操作に対応する入力音声を生成する電子楽器本体とを備えていることが好ましい。
【００１６】
本発明によるエコー付きマイクは、本発明による遅延装置（１）と、入力音声を入力音声信号に変換するマイク本体とを備えていることが好ましい。
【発明の効果】
【００１７】
本発明による遅延装置は、遅延長が切り換わるときのノイズを低減することができる。
【発明を実施するための最良の形態】
【００１８】
図面を参照して、本発明による遅延装置の実施の形態を記載する。その遅延装置１は、図１に示されているように、遅延制御装置２と第１遅延装置３とを備えている。遅延制御装置２は、機能ブロックとしてデータバッファ５と第２遅延装置６と遅延長指示手段７と第１遅延長検出手段８と第２遅延長検出手段１１とカットオフ周波数指示手段１２とを備えている。
【００１９】
コントローラ１４は、ユーザにより操作される入力装置であり、ユーザにより操作されて生成される遅延長データをＣＰＵ１５に出力する。コントローラ１４としては、ユーザにより操作されて数値が出力されるテンキー、連続量を出力するノブ（回転操作子）が例示される。すなわち、ＣＰＵ１５は、コントローラ１４から出力される遅延長データを遅延制御装置２に出力する。
【００２０】
データバッファ５は、コントローラ１４から入力される遅延長データを一時的に記憶し、その遅延長データを第２遅延装置６と第１遅延長検出手段８とにサンプリング毎に出力する。第２遅延装置６は、データバッファ５から出力される遅延長データを所定の時間だけ遅延してＯＵＴ１から遅延長指示手段７に出力する。第２遅延装置６は、さらに、データバッファ５から出力される遅延長データを所定の時間だけ遅延してＯＵＴ２から第２遅延長検出手段１１に出力する。遅延長指示手段７は、第２遅延装置６から出力される遅延長データを第１遅延装置３に出力する。
【００２１】
第１遅延長検出手段８は、データバッファ５から出力される遅延長データが更新されたことが検出されたときに、その更新のタイミングを示すタイミング信号を出力する。第２遅延長検出手段１１は、第２遅延装置６から出力される遅延長データが更新されたことが検出されたときに、その更新のタイミングを示すタイミング信号を出力する。カットオフ周波数指示手段１２は、第１遅延長検出手段８から出力されるタイミング信号を検出したときに、所定の期間で１から０に単純に減少する周波数データＦに基づいて値Ａを算出する。周波数データＦは、その期間以降に０を示す。カットオフ周波数指示手段１２は、さらに、第２遅延長検出手段１１から出力されるタイミング信号を検出したときに、所定の期間で０から１に単純に上昇する周波数データＦに基づいて値Ａを算出する。周波数データＦは、その期間以降に１を示す。
【００２２】
第１遅延装置３は、機能ブロックとして加算器２１とプリエンファシスフィルタ２２と遅延手段２３とローパスフィルタ２４と乗算器２５と加算器２６とを備えている。加算器２１は、第１遅延装置３に入力される音声信号と乗算器２５から出力される音声信号とが加算された合成音声信号をプリエンファシスフィルタ２２に出力する。すなわち、加算器２１は、サンプリング周期ごとに、第１遅延装置３に入力される音声信号の変位と乗算器２５から出力される音声信号の変位とを加算した値を出力する。プリエンファシスフィルタ２２は、加算器２１から出力される音声信号の高域を強調して遅延手段２３に出力する。
【００２３】
遅延手段２３は、入力される音声信号を記憶する記憶装置であり、プリエンファシスフィルタ２２から出力された音声信号を遅延長指示手段７から出力される遅延長データ分だけ遅延させて出力する。ローパスフィルタ２４は、遅延手段２３から出力される音声信号をカットオフ周波数指示手段１２から出力される値に基づいて高域の音声信号のゲインを低減して、乗算器２５と加算器２６とに出力する。乗算器２５は、ローパスフィルタ２４から出力される音声信号にフィードバック係数を乗算して加算器２１に出力する。加算器２６は、第１遅延装置３に入力される音声信号とローパスフィルタ２４から出力される音声信号とを加算して外部に出力する。
【００２４】
図２は、プリエンファシスフィルタ２２の機能ブロックを示している。プリエンファシスフィルタ２２は、サンプリング周期毎に演算する乗算器３１と１サンプリングディレー３２と乗算器３３と加算器３４と乗算器３５とを備えている。乗算器３１は、入力される信号に１を乗算した値を出力する。１サンプリングディレー３２は、入力される信号を１サンプリング周期だけ遅延して出力する。乗算器３３は、１サンプリングディレー３２から出力される値に０．７５を乗算した値を出力する。加算器３４は、乗算器３１から出力される値から乗算器３３から出力される値を減算した値を出力する。乗算器３５は、加算器３４から出力される値に４を乗算した値を出力する。
【００２５】
図３は、プリエンファシスフィルタ２２の出力特性を示している。その出力特性３９は、周波数が２ｋＨｚ以上の領域から周波数が高くなるにつれてゲインが大きくなっていることを示している。
【００２６】
図４は、ローパスフィルタ２４の機能ブロックを示している。ローパスフィルタ２４は、サンプリング周期毎に演算する乗算器４１と加算器４２と１サンプリングディレー４３と乗算器４４とを備えている。乗算器４１は、入力される信号に所定の値Ａが乗算された値を出力する。その所定の値Ａは、カットオフ周波数指示手段１２において算出される周波数データＦを用いて、次式：
Ａ＝０．２４１５×Ｆ＋０．００８５
により表現され、０．２５から０．００８５の範囲で変動する。
【００２７】
加算器４２は、乗算器４１から出力される値と１サンプリングディレー４３から出力される値とを加算した値から乗算器４４から出力される値を減算した値を１サンプリングディレー４３と次段演算器に出力する。１サンプリングディレー４３は、加算器４２から出力される値を１サンプリング周期だけ遅延して加算器４２と乗算器４４とに出力する。乗算器４４は、１サンプリングディレー４３から出力される値に所定の値Ａを乗算した値を加算器４２に出力する。
【００２８】
図５は、ローパスフィルタ２４の周波数特性を示している。その周波数特性は、カットオフ周波数指示手段１２から出力される値により異なっている。その周波数特性４７は、カットオフ周波数指示手段１２から出力される値に基づいて算出されるカットオフ周波数以下の領域ではゲインがフラットであり、そのカットオフ周波数以上の領域では周波数が高くなるにつれてゲインが小さくなっていることを示している。
【００２９】
カットオフ周波数指示手段１２において算出される周波数データＦが０であるときの周波数特性４８は、周波数が６０Ｈｚ以下の領域でゲインがフラットであり、周波数が６０Ｈｚ以上の領域では周波数が高くなるにつれてゲインが小さくなっていることを示している。周波数データＦが１であるときの周波数特性４９は、周波数が２ｋＨｚ以下の領域でゲインがフラットであり、周波数が２ｋＨｚ以上の領域では周波数が高くなるにつれてゲインが小さくなっていることを示している。
【００３０】
なお、遅延制御装置２と第１遅延装置３とが備える各手段は、複数の電気回路により構成することができる。その複数の電気回路は、データバッファ５と第２遅延装置６と遅延長指示手段７と第１遅延長検出手段８と第２遅延長検出手段１１とカットオフ周波数指示手段１２と加算器２１とプリエンファシスフィルタ２２と遅延手段２３とローパスフィルタ２４と乗算器２５と加算器２６とが示す複数の動作をそれぞれ実行する。すなわち、遅延装置１は、その複数の電気回路を備えることにより、その複数の動作を実行する。
【００３１】
図６は、ユーザの操作により遅延長データが変更前遅延長データから変更後遅延長データに更新されるときの遅延装置１の動作を示している。データバッファ５は、遅延長データが更新された時刻ｔ１より前に変更前遅延長データを出力し、時刻ｔ１より後に変更後遅延長データを出力する。第１遅延長検出手段８は、時刻ｔ１に遅延長データが更新されたことを検出してタイミング信号をカットオフ周波数指示手段１２に出力する。カットオフ周波数指示手段１２は、そのタイミング信号を受信すると、時刻ｔ１から時刻ｔ２までに１から徐々に減少する周波数データＦに基づいて値Ａを算出してローパスフィルタ２４に出力する。ローパスフィルタ２４は、その値Ａに基づいてカットオフ周波数を２ｋＨｚから６０Ｈｚに変化させる。
【００３２】
第２遅延装置６は、データバッファ５から出力される遅延長データを時刻ｔ１から時刻ｔ３までの時間だけ遅延してＯＵＴ１より遅延長指示手段７に出力する。すなわち、第２遅延装置６は、時刻ｔ２より後の時刻ｔ３より前に変更前遅延長データを遅延長指示手段７に出力し、時刻ｔ３より後に変更後遅延長データを遅延長指示手段７に出力する。遅延手段２３は、時刻ｔ３より前にプリエンファシスフィルタ２２から出力された音声信号を変更前遅延長データだけ遅延させて出力し、時刻ｔ３より後にプリエンファシスフィルタ２２から出力された音声信号を変更後遅延長データだけ遅延させて出力する。
【００３３】
第２遅延装置６は、さらに、データバッファ５から出力される遅延長データを時刻ｔ１から時刻ｔ３までの時間よりさらに長い時間だけ遅延してＯＵＴ２より第２遅延長検出手段１１に出力する。すなわち、第２遅延装置６は、時刻ｔ３より後の時刻ｔ４より前に変更前遅延長データを第２遅延長検出手段１１に出力し、時刻ｔ４より後に変更後遅延長データを第２遅延長検出手段１１に出力する。第２遅延長検出手段１１は、時刻ｔ４に遅延長データが更新されたことを検出してタイミング信号をカットオフ周波数指示手段１２に出力する。カットオフ周波数指示手段１２は、そのタイミング信号を受信すると、時刻ｔ４から時刻ｔ５までに０から１に徐々に上昇する周波数データＦに基づいて値Ａを算出してローパスフィルタ２４に出力する。ローパスフィルタ２４は、その値Ａに基づいてカットオフ周波数を６０Ｈｚから２ｋＨｚに変化させる。
【００３４】
このような遅延装置１の動作は、遅延長データの更新にしたがって自動的に実行され、ＣＰＵ１４からの各タイミングの指示またはタイマーなどによるタイミング管理を必要としない点で好ましい。
【００３５】
図７は、遅延装置１のカットオフ周波数指示手段１２で生成される周波数データＦと遅延手段２３により出力される波形とローパスフィルタ２４により出力される波形とを示している。周波数データＦは、時刻ｔ３を含む期間で０になるように変化する。遅延手段２３の出力は、時刻ｔ３より前に出力される波形の位相と時刻ｔ３より後に出力される波形の位相とが異なり、時刻ｔ３で急激に変化している。ローパスフィルタ２４の出力は、周波数データＦに伴ないカットオフ周波数が徐々に低くなり時刻ｔ３で十分に低い値であるので、時刻ｔ３では波形の変動が滑らかであり、遅延長データが切り換わるときのノイズが低減されることを示している。
【００３６】
遅延装置１は、プリエンファシスフィルタ２２と遅延手段２３の後段にその逆特性フィルタであるローパスフィルタ２４とを備えることにより、遅延手段２３の１ワード当たりのビット数を入力信号のビット数より小さくすることができる。このとき、遅延手段２３は、その分だけ、遅延長データを長く取れ、メモリを有効に活用することができる。通常、入力データのビット数が小さいビット幅の遅延手段を適用すると、フィードバックループによるノイズが発生する。遅延装置１は、さらに、このようなノイズを抑制することができる。
【００３７】
図８〜図１０は、遅延装置１の出力と従来例との比較結果を示している。遅延装置１の出力は、カットオフ周波数指示手段１２により出力される周波数データＦと遅延手段２３により出力される波形とローパスフィルタ２４により出力される波形とを示している。その従来例は、遅延手段２３により出力される音声信号が切り換わる時刻ｔ３でその音声信号の音量が小さくなるように制御された音声信号の波形を示している。その従来例は、遅延手段２３により出力される波形の変位にカットオフ周波数指示手段１２により出力される周波数データＦを乗算して生成される波形を示し、すなわち、特許２５６０４２８号公報に開示される振幅制御により生成される波形を示している。
【００３８】
図８の比較結果は、切り換わりのタイミングによっては、振幅制御による波形が、遅延手段２３の出力波形より変動が大きくなる場合があることを示している。図８の比較結果は、さらに、振幅制御による波形の変動が大きくなる場合にも、本発明によるローパスフィルタ２４の出力波形の変動が小さくなることを示している。
【００３９】
図８〜図１０の比較結果は、従来例とローパスフィルタ２４の出力波形とは、ともに、時刻ｔ３で滑らかであり、遅延長データが切り換わるときのノイズが低減されることを示している。その比較結果は、さらに、遅延装置１の出力の波形が従来例の波形より遅延手段出力の波形に似ていることを示し、遅延長データが切り換わるときのノイズがより低減されることを示している。
【００４０】
本発明による遅延装置は、リバーブマシンにも適用することができる。そのリバーブマシンは、互いに異なる複数の遅延長データがそれぞれ入力される複数の遅延装置１を備えている。そのリバーブマシンは、入力される音声信号をその複数の遅延装置１に入力し、その複数の遅延装置１からそれぞれ出力される複数の音声信号を合成した音声信号を出力する。そのリバーブマシンは、このようにして、様々な遅延時間を有する反射音（エコー）が合成されて得られる効果（リバーブ）を入力音声に付加することができる。このようなリバーブマシンは、本発明による遅延装置と同様にして、遅延長データが切り換わるときのノイズを低減することができる。
【産業上の利用可能性】
【００４１】
本発明による遅延装置は、ユーザの操作により楽音を生成する電子楽器に適用することができる。このとき、その電子楽器は、本発明による遅延装置１と入力装置と電子楽音発生装置とスピーカとを備えている。その入力装置は、互いに異なる複数の楽音に対応する複数のスイッチを備えている。その入力装置としては、鍵盤が例示される。その電子楽音発生装置は、複数のスイッチのうちの押鍵されたスイッチに対応する楽音を示すタイミング信号を生成する。遅延装置１は、そのタイミング信号に基づいてエコー効果を付与した楽音を示すタイミング信号を生成する。そのスピーカは、遅延装置１により生成されたタイミング信号を音声に変換する。このような電子楽器は、遅延長データが切り換わるときのノイズが低減して好ましい。
【００４２】
本発明による遅延装置は、エコー付きマイクに適用することができる。このとき、そのエコー付きマイクは、本発明による遅延装置１とマイク本体とを備えている。そのマイク本体は、音声をタイミング信号に変換する。遅延装置１は、そのタイミング信号に基づいてエコー効果を付与した楽音を示すタイミング信号を生成する。そのスピーカは、遅延装置１により生成されたタイミング信号を音声に変換する。このようなエコー付きマイクは、遅延長データが切り換わるときのノイズが低減して好ましい。
【図面の簡単な説明】
【００４３】
【図１】図１は、本発明による遅延装置の実施の形態を示すブロック図である。
【図２】図２は、プリエンファシスフィルタを示すブロック図である。
【図３】図３は、プリエンファシスフィルタの出力特性を示すグラフである。
【図４】図４は、ローパスフィルタを示すブロック図である。
【図５】図５は、ローパスフィルタの出力特性を示すグラフである。
【図６】図６は、ユーザの操作により遅延長データが更新されるときの遅延装置の動作を示すグラフである。
【図７】図７は、カットオフ周波数指示手段により出力される周波数データと遅延手段により出力される波形とローパスフィルタにより出力される波形とを示すグラフである。
【図８】図８は、本発明による遅延装置の出力と従来例との比較結果を示すグラフである。
【図９】図９は、本発明による遅延装置の出力と従来例との他の比較結果を示すグラフである。
【図１０】図１０は、本発明による遅延装置の出力と従来例とのさらに他の比較結果を示すグラフである。
【符号の説明】
【００４４】
１  ：遅延装置
２  ：遅延制御装置
３  ：第１遅延装置
５  ：データバッファ
６  ：第２遅延装置
７  ：遅延長指示手段
８  ：第１遅延長検出手段
１１：第２遅延長検出手段
１２：カットオフ周波数指示手段
１４：コントローラ
２１：加算器
２２：プリエンファシスフィルタ
２３：遅延手段
２４：ローパスフィルタ
２５：乗算器
２６：加算器
３１：乗算器
３２：１サンプリングディレー
３３：乗算器
３４：加算器
３５：乗算器
３９：出力特性
４１：乗算器
４２：加算器
４３：１サンプリングディレー
４４：乗算器
４７：出力特性
４８：出力特性
４９：出力特性
【図１】
0004675179.tif 000002
【図２】
0004675179.tif 000003
【図３】
0004675179.tif 000004
【図４】
0004675179.tif 000005
【図５】
0004675179.tif 000006
【図６】
0004675179.tif 000007
【図７】
0004675179.tif 000008
【図８】
0004675179.tif 000009
【図９】
0004675179.tif 000010
【図１０】
0004675179.tif 000011